(57)【要約】【課題】  種々の食器を安定して収納できる食器類収納籠を提供すること。【解決手段】  籠本体１ａを構成する線材２ａ，２ｂ又は２ｃの対向部位相互間に、中間部が食器類の形状に合せて撓む棒状の仕切部材５ａ〜５ｄを摺動自在に取付けた。棒状の仕切部材５ａ〜５ｄを線材２ａ，２ｂ又は２ｃに沿って摺動させるか、棒状の仕切部材５ａ〜５ｄの取付け箇所を変更することで、背の高い食器や幅の広い食器など種々の食器の寸法形状に対応した所望の収納スペースが形成される。さらに棒状の仕切部材５ａ〜５ｄが食器形状に合せて変形するので、種々の食器を安定して収納できる。【選択図】図１
2005168899.tif 000002
【特許請求の範囲】
【請求項１】
底部及び側部を線材で網目状に形成した籠本体と、前記線材の対向部位相互間に着脱自在に取付けると共に、その中間部を食器類の形状に合せて変形自在に形成した棒状の仕切部材とからなる食器類収納籠。
【請求項２】
前記棒状の仕切部材の中間部を弾性材で構成した請求項１に記載の食器類収納籠。
【発明の詳細な説明】
【技術分野】
【０００１】
本発明は、食器類収納籠に関するものである。
【背景技術】
【０００２】
図３は、洗浄した食器の水切り等に使用される普及型の食器類収納籠１ａを例示している。この食器類収納籠１ａは、金属線材を矩形枠状に形成した複数個の枠状線材２ａ，２ａ，…と、金属線材をコ字状に形成した複数個のコ字状線材２ｂ，２ｂ，…，２ｃ，２ｃ，…とからなり、枠状線材２ａ，２ａ，…の対向する二組の辺部相互間に、それぞれコ字状線材２ｂ，２ｂ，…，２ｃ，２ｃ…を接合して、底部及び側部を網目状に形成したものである。
【０００３】
しかし、上記の食器類収納籠１ａは、水切りのために立てた状態で収納する食器（例えば皿など）を少量だけ収納する場合に、当該食器の下端部をコ字状線材２ｂ及びコ字状線材２ｃの交差部分の段差で係止して食器類収納籠１ａの側部に立て掛けるため、僅かな衝撃で食器が倒れて破損するおそれがある。
【０００４】
また、上記の食器類収納籠１ａは、内部が区切られていないので、皿、お椀、コップなど、種々の形状の食器を整然と収納するのに手間がかかる。すなわち、上記の食器類収納籠１ａの収納効率を高めるためには、同一・類似形状の食器ごとに重ねて収納する必要があり、これには食器を洗浄する順序を適宜決定しなければならない。したがって、任意の順序で食器を洗浄することができず、手間がかかる。
【０００５】
かかる事情に鑑み創案されたものとして、図４に示す食器類収納籠１ｂがある（例えば特許文献１参照）。この食器類収納籠１ｂは、枠状線材２ａの対向する一組の辺部相互間に、複数個のコ字状線材２ｂ，２ｂ，…を接合した籠本体２を有し、籠本体２の底部を構成するコ字状線材２ｂ，２ｂの底部分に食器を支持するＵ字状の仕切部材３，３を摺動自在に取付けたものである。Ｕ字状の仕切部材３は、その下部に設けた筒状の取付部３ａ，３ａに、それぞれコ字状線材２ｂ，２ｂを挿通してある。
【０００６】
上記の食器類収納籠１ｂは、Ｕ字状の仕切部材３，３をコ字状線材２ｂ，２ｂに沿って移動させることにより籠本体２の内部を複数の収納エリアに区分して、各収納エリアに収納した食器類を、籠本体２の中間位置でＵ字状の仕切部材３，３によって支持するようになっている。したがって、収納エリアの広さを適宜調節しておくことで、少量の食器であっても安定して収納できる。また、同一・類似形状の食器ごとに収納エリアの広さを適宜調節しておくことで、形状の異なる複数種類の食器を任意の順番で洗浄しても、食器を整然と収納することができる。
【０００７】
しかし、上記の食器類収納籠１ｂは、Ｕ字状の仕切部材３の幅が籠本体２よりも狭いので、図５の如く、Ｕ字状の仕切部材３よりも十分に幅の広い食器４ａ（例えば図の一点鎖線で示す大径の丸皿）を収納した場合に、当該幅広の食器４ａの片側下部しか支持できず、幅広の食器４ａの安定性に欠ける。また、上記の食器類収納籠１ｂは、Ｕ字状の仕切部材３，３の移動範囲を広くして収納エリアの広さ調節の自由度を高めるため、枠状線材２ａの対向する一組の辺部相互間にしかコ字状線材２ｂ，２ｂ，…を配設していない。このため、図５の如く、枠状線材２ａと両端のコ字状線材２ｂ，２ｂの間隔よりも小径の食器４ｂ（例えば図の一点鎖線で示すコップ）を収納すると、小径の食器４ｂが籠本体２の側部から落下するおそれがある。このように小径の食器４ｂの落下を防止するためには、籠本体２として、図３の食器類収納籠１ａを使用する必要がある。しかし、図３の食器類収納籠１ａを籠本体とすると、Ｕ字状の仕切部材３，３の移動方向と直交方向に配設されたコ字状線材２ｂ又２ｃによって、Ｕ字状の仕切部材３，３の移動範囲が狭められ、収納エリアの広さ調節を自由に行なえるという上記の食器類収納籠１ｂの利点が損なわれる。
【０００８】
また、上記の食器類収納籠１ｂは、水滴が食器類やコ字状線材２ｂ，２ｂ，…の側部分を伝って、コ字状線材２ｂ，２ｂ，…の底部分に付着して乾燥する。特に、食器類を伝って流下する水滴は、食器類を洗浄した際に落ちずに残った汚れに接触しているおそれがあるから、コ字状線材２ｂ，２ｂ，…の底部分が汚れ易くなっている。このように汚れ易いコ字状線材２ｂ，２ｂ，…の底部分にＵ字状の仕切部材３，３を取付けると、Ｕ字状の仕切部材３，３の摺動によって削り取られた汚れがＵ字状の仕切部材３，３の各々の取付部３ａ，３ａに溜まって不衛生である。
【０００９】
【特許文献１】特開２００１−１２０４８９号公報
【発明の開示】
【発明が解決しようとする課題】
【００１０】
本発明は、斯かる実情に鑑み創案されたものであって、その目的は、食器の収納エリアの広さ調節が自在で、かつ、種々の形状・大きさの食器を安定して収納できると共に、仕切部材と籠本体の連結部が汚れ難い食器類収納籠を提供することにある。
【課題を解決するための手段】
【００１１】
本発明の食器類収納籠は、底部及び側部を線材で網目状に形成した籠本体と、前記線材の対向部位相互間に着脱自在に取付けると共に、その中間部を食器類の形状に合せて変形自在に形成した棒状の仕切部材とからなっている。
【００１２】
棒状の仕切部材を取付ける線材は、籠本体の側部を構成する左右方向、上下方向又は斜め方向に配設された線材である。この籠本体の側部を構成する線材の対向部位相互間に棒状の仕切部材を着脱自在に取付けてあるから、籠本体の側部を網目状に形成しても、棒状の仕切部材の取付け箇所を適宜変更することで、食器の収納エリアの広さ調節を自由に行なえる。また、籠本体に収納可能な食器類であれば、その全幅が棒状の仕切部材によって支持される上、しかも棒状の仕切部材が、皿や椀のように形状の相違する食器類であっても、その形状に合せて変形するので、食器類の寸法形状に関係なく安定して収納できる。
【００１３】
また、籠本体は、棒状の仕切部材を脱着した状態で洗浄することにより、棒状の仕切部材の取付箇所の汚れを落とし易くなっている。さらに、籠本体の側部の線材は、食器類に残った汚れに接触した水滴が付着し易い籠本体底部の線材と比較して汚れ難いから、この籠本体の側部に線材に棒状の仕切部材を取付けることで、籠本体と棒状の仕切部材との連結部が衛生的に維持される。
【００１４】
なお、棒状の仕切部材は、その中間部をゴムやコイルバネ等の弾性材で構成することにより、食器類の形状に合せて変形するだけでなく、籠本体の縦横の寸法が異なる場合に、籠本体の短手方向とほぼ同じ長さに形成した棒状の仕切部材を、その中間部を弾性的に伸ばすことで、籠本体の長手方向にも配設できる。これにより、籠本体の食器収納エリアが多様化される。
【発明の効果】
【００１５】
本発明によれば、棒状の仕切部材を籠本体に着脱自在に取付けてあるから、籠本体の側部を網目状に形成しても、棒状の仕切部材の取付け箇所を適宜変更することによって、食器の収納エリアの広さ調節を自由に行なうことができる。また、種々の形状・大きさの食器であっても、棒状の仕切部材が各食器の形状に合せて変形するので、食器を安定して収納できる。さらに、棒状の仕切部材を籠本体の比較的汚れ難い側部に取付けてあるから、棒状の仕切部材と籠本体の連結部が汚れ難く、本食器類収納籠を衛生的に保つことができる。
【発明を実施するための最良の形態】
【００１６】
以下、添付図面を参照しつつ本発明を実施するための最良の形態について説明する。なお、従来例と重複する部材には、従来例と同一符号を付して詳しい説明を省略する。
【００１７】
図１は、本発明の食器類収納籠１を例示する斜視図である。この食器類収納籠１は、図３に示す食器類収納籠１ａ（以下、籠本体１ａという。）の対向する一対の線材の相互間、即ち枠状線材２ａ，２ａ，…の対向する辺部相互間や、コ字状線材２ｂ，２ｂ，…又はコ字状線材２ｃ，２ｃ，…の両側部相互間に、１本又は複数本の棒状の仕切部材５ａ〜５ｄを設けたものである。
【００１８】
棒状の仕切部材５ａ〜５ｄは、図２の如く、その中間部が伸縮自在でかつ可撓性を有するコイルバネ等の弾性材６を可撓性を有するカバー７で被覆した構成になっており、この弾性材６の両端部に断面視Ｃ字状の取付部８，８を連結してある。取付部８，８は、その内径を枠状線材２ａやコ字状線材２ｂ，２ｃよりも小径に形成し、弾性的に拡径させた状態で枠状線材２ａやコ字状線材２ｂ，２ｃに連結して締め付け固定している。
【００１９】
また、棒状の仕切部材５ａ〜５ｄは、図１の部分拡大断面図の如く、その取付部８の内周部に突条８ａを形成してあり、この突条８ａを枠状線材２ａの外周部にその長手方向に所定の間隔を隔てて形成した複数個の溝２ｄ，２ｄ，…のいずれかに係合させることで位置決めを行なえるようになっている。なお、図示は省略するが、最上段の枠状線材２ａ以外の枠状線材２ａや、コ字状線材２ｂ，２ｂ，…，２ｃ，２ｃ，…の側部分にも図１の部分拡大図と同様の溝２ｄ，２ｄ，…を形成してあるものとする。
【００２０】
本発明の食器類収納籠は、上記の如く構成され、籠本体１ａの内部が複数本の棒状の仕切部材５ａ〜５ｄによって複数の収納エリアに区分され、棒状の仕切部材５ａ〜５ｄを枠状線材２ａ又はコ字状線材２ｂ，２ｃに沿って摺動させるか、或いは棒状の仕切部材５ａ〜５ｄを籠本体１ａの他の部位に付け直すことで、各収納エリアの広さを自在に変更できる。また、棒状の仕切部材５ａ〜５ｄは、その中間部をコイルバネ等の弾性材６で構成してあるから、自然状態での長さを籠本体１ａの短手方向の長さとほぼ同じ長さに形成していても、その中間部を弾性的に伸長させることで籠本体１ａの長手方向にも取付けることができる。したがって、籠本体１ａの長手方向は勿論のこと短手方向にも仕切り作用が得られるから、籠本体２の長手方向にのみ仕切り作用が得られる従来の食器類収納籠１ｂと比較して、収納エリアの変形バリエーションが増加する。
【００２１】
また、枠状線材２ａの対向辺相互間やコ字状線材２ｂ，２ｃの両側部相互間に棒状の仕切部材５ａ〜５ｄを設けたので、籠本体１ａに収納できる大きさの食器であれば、その全幅を支持できる。さらに、コ字状線材２ｂ，２ｃの両端部相互間に取付けた棒状の仕切部材５ａ，５ｂを上下方向に移動させ又は付け直しすることにより、籠本体１ａに収納した食器を支持する高さを適宜変更でき、小さい食器も大きい食器も適切な高さで支持される。さらにまた、棒状の仕切部材５ａ〜５ｄは、収納した食器を立て掛けることで、当該食器の形状に合せて変形するから、当該食器の安定性が向上する。
【００２２】
また、棒状の仕切部材５ａ〜５ｄは、コ字状線材２ｂ，２ｃの底部と比較して汚れが溜まり難い枠状線材２ａやコ字状線材２ｂ，２ｃの側部に取付けてあるから、籠本体１ａと棒状の仕切部材５ａ〜５ｄの各々の取付部８，８との連結部位が衛生的に保たれる。
【００２３】
以上、本発明の食器類収納籠１の一実施形態につき説明したが、本発明は前記実施形態に限定されることなく種々の変形が可能であって、例えば、棒状の仕切部材５ａ〜５ｄの中間部は、コイルバネ等の弾性材６に限らず、可撓性を有する樹脂等で構成してもよい。棒状の仕切部材５ａ〜５ｄの各々の取付部８，８は、上記したものに限らず、籠本体１ａを構成する金属線材に対して摺動かつ着脱自在であれば如何なる構成でもよい。さらに、籠本体１ａは、金属線材に限らず、樹脂製の線材で構成したものでも構わない。
【図面の簡単な説明】
【００２４】
【図１】本発明の食器類収納籠を例示する斜視図である。
【図２】図１の要部拡大断面図であって、棒状の仕切部材及び該棒状の仕切部材と籠本体を構成する金属線材との連結構造を示す図である。
【図３】普及型の食器類収納籠を例示する斜視図である。
【図４】従来の食器類収納籠を例示する斜視図である。
【図５】図４のＸ−Ｘ線断面図である。
【符号の説明】
【００２５】
１     食器類収納籠
１ａ   籠本体
２ａ   枠状線材
２ｂ，２ｃ    コ字状線材
５ａ〜５ｄ    棒状の仕切部材
６     弾性材
７     カバー
８，８ 取付部
【図１】
2005168899.tif 000003
【図２】
2005168899.tif 000004
【図３】
2005168899.tif 000005
【図４】
2005168899.tif 000006
【図５】
2005168899.tif 000007